(57)【要約】【課題】画像を表示する表示パネルを備えた表示ユニットの落下を防止でき、且つ、表示ユニットと電源ユニットとを連結した状態で表示ユニットに備えられたメモリカード用ソケットにメモリカードを挿抜することができる操作装置を提供する。【解決手段】操作部を含む画像が表示される表示パネルおよびメモリカードが挿抜自在なメモリカード用ソケット２８を具備した前面視矩形状の表示ユニット２と、表示ユニット２へ電力を供給する電源回路が直方体状の器体１３内に収納された電源ユニット１とを備え、電源ユニット１の右端縁に回転軸１１、表示ユニット２の右端部に回転軸１１と連結する軸受部２１が設けられ、表示ユニット２の左側面に係合爪２６、電源ユニット１の左側面に係合爪２６と係合する係合孔１６が設けられて、表示ユニット２が電源ユニット１に回動自在に連結され、表示ユニット２が回転軸１１を中心として左右方向に回動自在となる。【選択図】図１
2011205592.tif 000002
【特許請求の範囲】
【請求項１】
外部に配置された負荷を操作するための操作部を含む画像が表示される表示パネルおよび前記画像の表示内容を変更するためのメモリカードが挿抜自在なメモリカード用ソケットを前面視矩形状のケースに収納した表示ユニットと、前記表示ユニットの後面側に配置され、前記表示ユニットへ電力を供給する電源回路が直方体状の器体に収納された電源ユニットとを備え、前記電源ユニットは、前記器体を施工面に埋め込み配置するための矩形枠状の取付枠が前記器体の前面側に一体に設けられ、前記表示ユニットは、前記ケースおよび前記取付枠の左右方向の一端部同士の一方に設けた回転軸と他方に設けた軸受部とにより、前記電源ユニットに回動自在に連結され、前記ケースおよび前記取付枠の左右方向の他端部同士の一方に設けた係合爪と他方に設けた係合孔との係合状態を解除した状態において、前記取付枠の窓孔を開放し前記回転軸を中心として左右方向に回動自在となり、前記メモリカード用ソケットのカード挿入口が、前記ケースの前記他端部側に露出してなることを特徴とする操作装置。
【請求項２】
前記メモリカード用ソケットは、前記カード挿入口が、前記ケースの前記他端部側であって前記取付枠の内側に配置される部分の側面に露出してなることを特徴とする請求項１記載の操作装置。
【請求項３】
前記表示ユニットと前記電源ユニットとを電気的に接続する接続部が、テープ電線であることを特徴とする請求項１または請求項２記載の操作装置。
【発明の詳細な説明】
【技術分野】
【０００１】
本発明は、画像を表示する表示パネルを備え、壁面などの施工面に、一部を埋め込んだ形で施工される操作装置に関するものである。
【背景技術】
【０００２】
従来から、画像を表示する表示パネルを備え、壁面などの施工面に、一部を埋め込んだ形で施工される操作装置としては、例えば、図１０〜図１３に示すように、外部に配置された複数の負荷（例えば、照明負荷など）を操作するための複数の操作部（図示せず）が画像として表示されるタッチパネル式の液晶パネル３５を具備した液晶ユニット３８と、この液晶ユニット３８の後面側に配置され、液晶ユニット３８へ電力を供給する電源回路が直方体状の器体３９ｂ内に収納された電源ユニット３９とを備えたものが知られている。ここで、この操作装置は、器体３９ｂを壁面などの施工面Ｗに設けた埋込孔Ｗ１に通して施工面Ｗに埋め込み配置して施工するものであり、器体３９ｂの前面側に、当該器体３９ｂを施工面Ｗに埋め込み配置するための矩形枠状の取付枠３９ａが設けられ、この取付枠３９ａの前面側に、液晶ユニット３８の前面を露出させる窓孔３ａを有する矩形枠状のプレート３が着脱自在に取着されるようになっている。なお、取付枠３９ａは、埋め込み型の配線器具の施工時に用いる取付枠と略同じ形状であり、例えば、施工面Ｗに埋め込み配置された埋込ボックス（図示せず）に取付ねじ６により取着できるようになっている。また、器体３９ｂの後面には、壁裏などに先行配線された電線５が接続される端子部１８（図１１参照）を設けている。
【０００３】
液晶ユニット３８は、液晶パネル３５を保持するケース３８ａの後面の上下方向の中央部から後方へ膨出した膨出部２９を設けてあり、この膨出部２９内に、液晶パネル３５を駆動する駆動回路の回路部品などが実装されたプリント配線板を収納してある。ここにおいて、液晶ユニット３８は、電源ユニット３９に着脱自在に取り付けられるように構成されており、膨出部２９が、器体３９ｂの前面と取付枠３９ａの内側面とで囲まれた空間に収納される。言い換えれば、器体３９ｂの前壁と取付枠３９ａとで、前面開口した矩形箱状に形成されて膨出部２９を収納する収納部１７を構成している。
【０００４】
液晶ユニット３８における膨出部２９の左右両側壁には、図１１および図１２に示すように、後端側が開放された２本の切り込み溝３８ｃが前後方向に形成され、両切り込み溝３８ｃの間の部位が厚み方向に可撓性を有する撓み片２６ａを形成しており、撓み片２６ａの後端部に、側方に突出する係合爪２６が設けられている。一方、電源ユニット３９における収納部１７の左右両側壁（取付枠３９ａの左右両側片）の後端部には、液晶ユニット３８の係合爪２６が着脱自在に係合する係合孔１６が形成されている。
【０００５】
また、電源ユニット３９の上記電源回路と液晶ユニット３８の上記駆動回路とは、電源ユニット３９の器体３９ｂの前面側に露出して設けられた第１のコネクタ１０と、液晶ユニット３８の膨出部２９の後面側に露出して設けられた第２のコネクタ（図示せず）とを接続することにより、電気的に接続されている。
【０００６】
ところで、上述の液晶ユニット３８の液晶パネル３５に表示される上記操作部には、上記操作部の用途に応じた表記（例えば、会議室の照明負荷を操作するためのものであれば、「会議室」）が付されており、このような表記を、施工時に施工業者が変更できるようになっている。より具体的には、このような表記を変更するためのデータやプログラムを記憶したメモリカード（ＳＤメモリカード）を挿抜自在なメモリカード用ソケット２８が、上述のプリント配線板に実装されており、膨出部２９の左側面に、メモリカード用ソケット２８のカード挿入口２８ａ（図１２（ｂ）参照）が露出している。したがって、液晶ユニット３８を電源ユニット３９に取り付けた状態では、カード挿入口２８ａが取付枠３９ａの内側面に臨み、外部に露出しないようになっている（図１２（ｃ）参照）。
【０００７】
また、画像を表示する表示パネルを備え、壁面などの施工面に、一部を埋め込んだ形で施工される他の構成の操作装置としては、例えば、図１４に示すように、映像を表示する液晶パネル２４を具備した液晶ユニット４２と、この液晶ユニット４２の後面側に配置され、液晶ユニット４２へ電力を供給する電源回路の回路部品などが実装されたプリント配線板が直方体状の器体４１ｂ内に収納された電源ユニット４１とを備えたものが提案されている（例えば、特許文献１参照）。なお、液晶ユニット４２の前面側には、操作入力が可能な操作部２５などが設けられている。また、電源ユニット４１の器体４１ｂの前面側には、器体４１ｂを施工面Ｗに設けた埋込孔Ｗ１を通して施工面Ｗに埋め込み配置するための取付片４１ａが、器体４１ｂの上下方向の両端縁からそれぞれ上方向、下方向へ延設されている。
【０００８】
液晶ユニット４２は、図１４（ｂ）に示すように、液晶ユニット４２の後面から後方へ、液晶ユニット４２を電源ユニット４１に着脱自在に取り付けるための２つの係合爪３７が突設されている。一方、電源ユニット４１の上側の取付片４１ａには、液晶ユニット４２の各係合爪３７それぞれが着脱自在に係合する２つの係合孔３６が形成されている。
【０００９】
また、電源ユニット４１は、図１５に示すように、下側の取付片４１ａの下端部に、液晶ユニット４２を回動自在に軸支する回転軸４６が、軸方向を電源ユニット４１の左右方向に一致するように配置されている。一方、液晶ユニット４２の下端部には、電源ユニット４１の回転軸４６を保持する軸受部４７が、回転軸４６の軸方向に一致するように配置されている。したがって、液晶ユニット４２は、電源ユニット４１の回転軸４６を中心として上下方向に回動自在となる。ここにおいて、この軸受部４７は、図１５（ｂ）に示すように、液晶ユニット４２の後面から後方へ突出し、軸受部４７の一部には、回転軸４６を軸方向に直交する方向から軸受部４７に導入可能とする取付用スリット４７ａが形成されている。
【先行技術文献】
【特許文献】
【００１０】
【特許文献１】特開２００９−８８９８８号公報
【発明の概要】
【発明が解決しようとする課題】
【００１１】
ところで、図１０〜図１３に例示した操作装置の施工にあたっては、施工業者が、例えば、電線５を電源ユニット３９の端子部１８に接続してから、電源ユニット３９を上記埋込ボックスなどに取り付け、液晶ユニット３８の前面側から電源ユニット３９側に液晶ユニット３８を押し付けることによって、液晶ユニット３８の各係合爪２６が電源ユニット３９の各係合孔１６に係合され、液晶ユニット３８が電源ユニット３９に取り付けられる。しかしながら、施工業者などが、上記メモリカードを利用して、液晶パネル３５に表示された上記操作部に付された表記（例えば、会議室の照明負荷を操作するためのものであれば、「会議室」）を変更する場合、メモリカード用ソケット２８のカード挿入口２８ａが外部に露出していないため、電源ユニット３９から液晶ユニット３８を取り外さなければならない。したがって、液晶ユニット３８が落下する懸念がある。
【００１２】
また、図１４および図１５に例示した操作装置の施工にあたっては、施工業者が、例えば、電源ユニット４１を埋込ボックスＷなどに取り付け、電源ユニット４１の回転軸４６を液晶ユニット４２の取付用スリット４７ａを通して軸受部４７に導入し、電源ユニット４１の回転軸４６で液晶ユニット４２の軸受部４７を軸支させた状態で、液晶ユニット４２を回転軸４６を中心として上方向に回動させ、液晶ユニット４２の前面側から電源ユニット４１側に液晶ユニット４２を押し付けることによって、液晶ユニット４２の各係合爪３７が電源ユニット４１の各係合孔３６に係合され、液晶ユニット４２が電源ユニット４１に取り付けられる。したがって、電源ユニット４１の回転軸４６で液晶ユニット４２の軸受部４７が軸支されているので、液晶ユニット４２が電源ユニット４１から落下することを防止できる。しかしながら、施工業者が、液晶ユニット４２を回動させる時に液晶ユニット４２から手を離した場合、液晶ユニット４２が、回転軸４６を中心として下方向に回動し、液晶ユニット４２の前面側（液晶パネル２４および操作部２５など）が壁面などの施工面Ｗに衝突して、液晶ユニット４２が落下する懸念がある。
【００１３】
本発明は上記事由に鑑みて為されたものであり、その目的は、画像を表示する表示パネルを備えた表示ユニットの落下を防止でき、且つ、表示ユニットと表示ユニットへ電力を供給する電源ユニットとを連結した状態で、表示ユニットに備えられたメモリカード用ソケットにメモリカードを挿抜することができる操作装置を提供することにある。
【課題を解決するための手段】
【００１４】
本発明の操作装置は、外部に配置された負荷を操作するための操作部を含む画像が表示される表示パネルおよび前記画像の表示内容を変更するためのメモリカードが挿抜自在なメモリカード用ソケットを前面視矩形状のケースに収納した表示ユニットと、前記表示ユニットの後面側に配置され、前記表示ユニットへ電力を供給する電源回路が直方体状の器体に収納された電源ユニットとを備え、前記電源ユニットは、前記器体を施工面に埋め込み配置するための矩形枠状の取付枠が前記器体の前面側に一体に設けられ、前記表示ユニットは、前記ケースおよび前記取付枠の左右方向の一端部同士の一方に設けた回転軸と他方に設けた軸受部とにより、前記電源ユニットに回動自在に連結され、前記ケースおよび前記取付枠の左右方向の他端部同士の一方に設けた係合爪と他方に設けた係合孔との係合状態を解除した状態において、前記取付枠の窓孔を開放し前記回転軸を中心として左右方向に回動自在となり、前記メモリカード用ソケットのカード挿入口が、前記ケースの前記他端部側に露出してなることを特徴とする。
【００１５】
この操作装置において、前記メモリカード用ソケットは、前記カード挿入口が、前記ケースの前記他端部側であって前記取付枠の内側に配置される部分の側面に露出してなることが好ましい。
【００１６】
この操作装置において、前記表示ユニットと前記電源ユニットとを電気的に接続する接続部が、テープ電線であることが好ましい。
【発明の効果】
【００１７】
本発明の操作装置においては、画像を表示する表示パネルを備えた表示ユニットの落下を防止でき、且つ、表示ユニットと表示ユニットへ電力を供給する電源ユニットとを連結した状態で、表示ユニットに備えられたメモリカード用ソケットにメモリカードを挿抜することができるという効果がある。
【図面の簡単な説明】
【００１８】
【図１】実施形態の操作装置を示し、（ａ）は表示ユニットを開いた状態の斜視図、（ｂ）は分解斜視図、（ｃ）は（ｂ）の要部拡大図である。
【図２】同上の操作装置を示し、（ａ）は前面図、（ｂ）は後面図である。
【図３】同上の操作装置を示し、（ａ）は前面側から見た分解斜視図、（ｂ）は後面側から見た分解斜視図である。
【図４】同上の操作装置の他の構成例を示し、表示ユニットを開いた状態の斜視図である。
【図５】同上の操作装置の別の構成例を示し、（ａ）は分解斜視図、（ｂ）は（ａ）の要部拡大図である。
【図６】同上の操作装置を示し、（ａ）は表示ユニットが開いた状態の斜視図、（ｂ）は表示ユニットの後面図、（ｃ）はメモリカードの挿入が不十分な場合の斜視図である。
【図７】同上の操作装置を示し、（ａ）は表示ユニットが開いた状態の斜視図、（ｂ）は表示ユニットの後面図、（ｃ）はメモリカードが完全に挿入された場合の斜視図である。
【図８】同上の操作装置を利用した遠隔監視制御システムのシステム構成図である。
【図９】同上の遠隔監視制御システムに利用する伝送信号の説明図である。
【図１０】従来の操作装置を示す分解斜視図である。
【図１１】同上の操作装置に関し、（ａ）は液晶ユニットの右側面図、（ｂ）は電源ユニットの右側面図、（ｃ）は液晶ユニットと電源ユニットとを結合した状態の右側面図である。
【図１２】同上の操作装置に関し、（ａ）は電源ユニットの左側面図、（ｂ）は液晶ユニットの左側面図、（ｃ）は液晶ユニットと電源ユニットとを結合した状態の左側面図である。
【図１３】同上の操作装置を示し、（ａ）は電源ユニットの前面図、（ｂ）は電源ユニットに液晶ユニットを取り付けた状態の前面図である。
【図１４】同上の他の構成例を示し、（ａ）は前面側から見た分解斜視図、（ｂ）は後面側から見た分解斜視図である。
【図１５】同上の他の構成例を示し、（ａ）は液晶ユニットと電源ユニットとが連結した状態の要部拡大図、（ｂ）は液晶ユニットと電源ユニットとが連結した状態の要部断面図である。
【発明を実施するための形態】
【００１９】
本実施形態の操作装置を、図１〜図８を参照しながら説明する。
【００２０】
本実施形態の操作装置は、屋内などに配置された複数の負荷（例えば、照明負荷など）を操作するための複数の操作部Ｓ１〜Ｓ８（図２参照）を含む画像が表示される表示パネル２７（図２参照）および上記画像の表示内容を変更するためのデータやプログラムを記憶したメモリカードＭ（図６参照）が挿抜自在なメモリカード用ソケット２８を具備した表示ユニット２と、この表示ユニット２の後面側に配置され、表示ユニット２へ電力を供給する電源回路が直方体状の器体１３内に収納された電源ユニット１とを備えている。なお、器体１３は合成樹脂により形成されている。
【００２１】
この操作装置は、器体１３を壁面などの施工面（図示せず）に埋め込み配置して施工するものであり、器体１３の前面側に、当該器体１３を上記施工面に埋め込み配置する矩形枠状の取付枠１ａが設けられ、この取付枠１ａの前面側に、表示ユニット２の前面を露出させる窓孔を有する矩形枠状のプレート（図示せず）が着脱自在に取着されるようになっている。なお、取付枠１ａは、埋め込み型の配線器具の施工時に用いる取付枠と略同じ形状である。また、取付枠１ａおよび上記プレートは合成樹脂により形成されている。
【００２２】
表示ユニット２は、図１に示すように、表示パネル２７を保持するケース２３の後面の上下方向の中央部から後方へ膨出した膨出部２９を設けてあり、この膨出部２９内に、表示パネル２７を駆動する駆動回路およびメモリカード用ソケット２８に挿入されたメモリカードＭに記憶されている上記画像の表示内容を変更するためのデータやプログラムを実行するための回路等の回路部品などが実装されたプリント配線板を収納してある。なお、ケース２３は合成樹脂により形成されている。
【００２３】
表示ユニット２は、電源ユニット１に着脱自在に取り付けられるように構成されており、膨出部２９が、器体１３の前面と取付枠１ａの内側面とで囲まれた空間に収納される。言い換えれば、器体１３の前壁と取付枠１ａとで、前面開口した矩形箱状に形成されて膨出部２９を収納する収納部１７を構成している。
【００２４】
膨出部２９は、膨出部２９の外周形状が、収納部１７の内周形状に略同じ形状に形成されている。
【００２５】
表示パネル２７は、タッチパネル式の液晶表示装置であり、ケース２３の前面側に配置されている。ところで、表示パネル２７に表示される操作部Ｓ１〜Ｓ８には、操作部Ｓ１〜Ｓ８の用途に応じた表記（例えば、第１会議室の照明負荷を操作するためのものであれば、「第１会議室」）が付されており、このような表記を、施工業者などが、施工時にメモリカードＭを利用して、変更できるようになっている。
【００２６】
電源ユニット１の器体１３は、日本工業規格で規格化された大角形連用配線器具の取付枠（ＪＩＳ  Ｃ８３７５参照）に３個まで取着可能な単位寸法のモジュールを３個並べた大きさ（３個モジュール寸法）の大角形連用配線器具を、２個並べた寸法（２連モジュール寸法）と略同じ寸法に形成されている。
【００２７】
電源ユニット１の取付枠１ａの上片６および下片７それぞれには、図２に示すように、施工面に埋め込み配置される埋込ボックス（図示せず）に器体１３を埋め込み配置するための第１の取付ねじ（図示せず）を挿通する第１のねじ挿通孔１ｂと、壁材などに電源ユニット１を直付けするための第２の取付ねじ（図示せず）を挿通する第２のねじ挿通孔１ｃと、石膏ボードなどで構成される施工面を取付枠１ａの後面と挟持することにより、施工面に電源ユニット１を保持するためのはさみ金具（図示せず）を取着する取着孔１ｄと、取付枠１ａの前面側に上記プレートを取着するための第３の取付ねじ（図示せず）を螺合するねじ孔１ｅとが設けられている。なお、上記埋込ボックスは前面開口した矩形箱状に形成されており、第１の取付ねじが螺合するねじ孔を有する舌片を備えている。
【００２８】
電源ユニット１の器体１３の後面には、壁裏などに先行配線され、例えば、双極性（２４Ｖの交流電圧）の伝送信号を伝送する一対の信号線Ｌｓ（図８参照）が接続される一対のねじ付き端子１４（図２（ｂ）参照）が設けられている。ここで、電源ユニット１は、一対の信号線Ｌｓからの２４Ｖの交流電圧を全波整流する整流回路を上記電源回路に備え、上記伝送信号を全波整流することによって、駆動電力を確保している。また、電源ユニット１の器体１３の後面には、壁裏などに先行配線された一対の電源線Ｌｖ（図８参照）が接続される一対のねじ付き端子１５（図２（ｂ）参照）が設けられている。ここにおいて、電源線Ｌｖは、１００Ｖの交流電圧を変圧して２４Ｖの交流電圧を供給するリモコントランス３４ａ（図８参照）などが接続される。また、電源ユニット１は、電源線Ｌｖを通してリモコントランス３４ａから供給された２４Ｖの交流電圧を全波整流することによって、駆動電力を確保することもできる。さらに、電源ユニット１の器体１３の後面には、上記伝送信号を全波整流することにより駆動電力を確保するか、または、電源線Ｌｖから供給された電力を全波整流することにより駆動電力を確保するかが選択可能な切替スイッチ９が設けられている。
【００２９】
また、電源ユニット１の上記電源回路と表示ユニット２の上記駆動回路等は、電源ユニット１の器体１３の前面側に露出して設けられた第１のコネクタ１０と、表示ユニット２の膨出部２９の後面側に露出して設けられた第２のコネクタ２０とを接続することにより、電気的に接続されている。ここにおいて、電源ユニット１と表示ユニット２とは、第１のコネクタ１０と第２のコネクタ２０とを接続することによって、電気的に接続されるが、例えば図４に示すように、テープ電線（例えば、フレキシブルフラットケーブルなど）４０によって、電気的に接続してもよい。この場合、図４に示すように、表示ユニット２を回動させて開いた状態であっても、電源ユニット１から表示ユニット２へテープ電線４を介して電力が供給されるので、例えば、施工業者などが、施工時にメモリカードＭを利用して、表示パネル２７に表示された操作部Ｓ１〜Ｓ８に付された表記（例えば、第１会議室の照明負荷を操作するためのものであれば、「第１会議室」）を変更する際、メモリカード用ソケット２８にメモリカードＭを挿入した後、表示ユニット２を再起動させる時間が不要となり、作業時間を短縮することができる。
【００３０】
電源ユニット１は、取付枠１ａの右側の側片（ケース２３および取付枠１ａの左右方向の一端部同士の一方）の上端部および下端部に、表示ユニット２を回動自在に軸支する回転軸１１が、軸方向を電源ユニット１の上下方向に一致するように設けられている。一方、表示ユニット２は、ケース２３の右端部（ケース２３および取付枠１ａの左右方向の一端部同士の他方）の後面側に、電源ユニット１の回転軸１１と着脱自在に連結する軸受部２１が、回転軸１１の軸方向に一致するように設けられている。
【００３１】
また、表示ユニット２の膨出部２９の左側面（ケース２３および取付枠１ａの左右方向の他端部同士の一方）には、後端側が開放された２本の切り込み溝２ｃが前後方向に形成され、両切り込み溝２ｃの間の部位が厚み方向に可撓性を有する撓み片２６ａを形成しており、撓み片２６ａの後端部に、側方に突出する係合爪２６が設けられている。一方、電源ユニット１の収納部１７の左側面（ケース２３および取付枠１ａの左右方向の他端部同士の他方）には、表示ユニット２の係合爪２６が着脱自在に係合する係合孔１６が形成されている。ここにおいて、表示ユニット２は、係合爪２６を膨出部２９の左側面に設け、軸受部２１をケース２３の右端部の後面側に設けているが、係合爪２６を膨出部２９の右側面に設け、軸受部２１をケース２３の左端部の後面側に設けてもよい。この場合、係合孔１６を収納部１７の右側面に形成し、回転軸１１を取付枠１ａの左側の側片の上端部および下端部に設ければよい。
【００３２】
軸受部２１は、図１（ｃ）に示すように、ケース２３の右端部の後面から後方へ突出し、表示ユニット２が回転軸１１を中心として左右方向に回動自在となるように回転軸１１を保持する円筒状に形成されている。なお、軸受部２１に関して、円筒状に形成された部位の一部には、回転軸１１を軸方向に直交する方向から軸受部２１に導入可能とする取付用スリット２１ａが設けられている。したがって、表示ユニット２が、回転軸１１を中心として左右方向に回動自在となる。ところで、図１０〜図１３に例示した操作装置では、取付枠３９ａに設けられ取付ねじ６を挿通するねじ挿通孔（図示せず）が表示ユニット３８により覆われてしまうので、施工業者は、施工時に電源ユニット３９を施工面Ｗに埋め込み配置してから表示ユニット３８を電源ユニット３９に取り付けなければならない。しかしながら、上述の操作装置では、表示ユニット２を開くことにより取付枠１ａの第１のねじ挿通孔１ｂが露出するので、施工業者は、施工時に電源ユニット１と表示ユニット２とを連結させた状態のまま、上記第１の取付ねじを利用して、電源ユニット１の器体１３を壁面などの施工面に埋め込み配置することができる。ここにおいて、電源ユニット１と表示ユニット２とは、電源ユニット１に回転軸１１を設け、表示ユニット２に軸受部２１を設けているが、図１に例示した構成に限らず、例えば図５に示すように、表示ユニット２に電源ユニット１を回動自在に軸支する回転軸２２を設け、電源ユニット１に表示ユニット２の回転軸２２と着脱自在に連結する軸受部１２を設けてもよい。
【００３３】
メモリカード用ソケット２８は、表示ユニット２の膨出部２９に収納された上記プリント配線板に実装されており、膨出部２９の左側面に、メモリカード用ソケット２８のカード挿入口２８ａが露出している（図１参照）。したがって、表示ユニット２を電源ユニット１に取り付けて表示ユニット２を閉じた状態では、カード挿入口２８ａが取付枠１ａの内側面に臨み、外部に露出しないようになっている。また、メモリカード用ソケット２８は、メモリカードＭがメモリカード用ソケット２８に完全に差し込まれていない場合、図６に示すように、メモリカードＭの一部が、電源ユニット１の取付枠１ａの前面側に当接するように配置してある。
【００３４】
これに対して、メモリカードＭがメモリカード用ソケット２８に完全に差し込まれている場合は、図７に示すように、表示ユニット２の係合爪２６と電源ユニット１の係合孔１６とを係合させることができ、表示ユニット２を閉じることができる。しがたって、メモリカード用ソケット２８にメモリカードＭが完全に差し込まれていない場合は、表示ユニット２を閉じることができないため、メモリカードＭが完全に差し込まれていないまま表示ユニット２を閉じてしまうのを防止することができる。なお、メモリカード用ソケット２８は、膨出部２９の左側面に配置しているが、膨出部２９の上面または下面の一方にカード挿入口２８ａが露出するように配置してもよい。
【００３５】
上述の操作装置を施工するにあたって、施工業者は、例えば、電源ユニット１の器体１３を施工面に埋め込み配置された上記埋込ボックスに埋め込み、上記第１の取付ねじを電源ユニット１の取付枠１ａの第１のねじ挿通孔１ｂに挿通し、上記埋込ボックスの上記舌片に設けられた上記ねじ孔に螺合させて、電源ユニット１を上記施工面に取り付ける。次に、電源ユニット１の回転軸１１を表示ユニット２の取付用スリット２１ａを通して軸受部２１に導入し、電源ユニット１の回転軸１１で表示ユニット２の軸受部２１を軸支させた状態で、表示ユニット２を回転軸１１を中心として左方向に回動させる。そして、表示ユニット２の前面側から電源ユニット１側に表示ユニット２を押し付けることによって、表示ユニット２の係合爪２６が電源ユニット１の係合孔１６に係合され、表示ユニット２を閉じることができる。
【００３６】
また、施工業者などが、メモリカードＭを利用して、表示パネル２７に表示された操作部Ｓ１〜Ｓ８に付された上記表記を変更するために、表示ユニット２を回動させる場合、電源ユニット１の回転軸１１で表示ユニット２の軸受部２１を軸支させた状態で、表示ユニット２の係合爪２６を膨出部２９の内側に撓ませ、表示ユニット２の係合爪２６と電源ユニット１の係合孔１６との係合を解除することで、表示ユニット２を回動させることができる。したがって、電源ユニット１の回転軸１１で表示ユニット２の軸受部２１を軸支させたまま、表示ユニット２を回転軸１１を中心として左右方向に回動させることができるので、表示ユニット２から手を離しても、表示ユニット２が落下することを防止できる。また、表示パネル２７に表示された操作部Ｓ１〜Ｓ８に付された上記表記を変更する場合、電源ユニット１と表示ユニット２とを連結させた状態のまま、メモリカード用ソケット２８にメモリカードＭを挿抜することができる。
【００３７】
以上説明した本実施形態の操作装置は、画像を表示する表示パネル２７を備えた表示ユニット２の落下を防止でき、且つ、表示ユニット２と表示ユニット２へ電力を供給する電源ユニット１とを連結した状態で、表示ユニット２に備えられたメモリカード用ソケット２８にメモリカードＭを挿抜することができるという効果がある。
【００３８】
以下、本実施形態の操作装置を利用した遠隔監視制御システムを、図８および図９を参照しながら説明する。
【００３９】
上述の操作装置を利用した遠隔監視制御システムは、例えば、図８に示すように、負荷（例えば、照明負荷）Ｌ１〜Ｌ４をオンオフさせるリモコンリレーＲｙ１〜Ｒｙ４と、リモコンリレーＲｙ１〜Ｒｙ４を制御する制御端末器３２と、負荷Ｌ１〜Ｌ４をオンオフさせるための操作をする複数の操作端末器３１と、操作端末器３１からの操作に応じて、対応する制御端末器３２にリモコンリレーＲｙ１〜Ｒｙ４を制御させる伝送ユニット３３と、リモコンリレーＲｙ１〜Ｒｙ４および制御端末器３２に２４Ｖの交流電圧を供給するリモコントランス３４とを備えている。なお、伝送ユニット３３は、商用電源である交流電源ＡＣ（１００Ｖまたは２００Ｖの交流電圧）に接続され、リモコンリレーＲｙ１〜Ｒｙ４は、ブレーカを介して交流電源ＡＣと負荷Ｌ１〜Ｌ４との直列回路に接続されている。また、リモコントランス３４は、交流電源ＡＣに接続されており、１００Ｖの交流電圧を変圧してリモコンリレーＲｙ１〜Ｒｙ４および制御端末器３２に２４Ｖの交流電圧を供給する。また、操作端末器３１、制御端末器３２および伝送ユニット３３は、一対の信号線（２線式の信号線）Ｌｓで接続されている。
【００４０】
リモコンリレーＲｙ１〜Ｒｙ４は、ラッチングリレー型のリモコンリレーである。
【００４１】
制御端末器３２は、４つのリモコンリレーＲｙ１〜Ｒｙ４を各別に制御する。
【００４２】
操作端末器３１は、負荷Ｌ１〜Ｌ２を個別に操作するための操作部Ｓ９〜Ｓ１０を備えたリモコンスイッチからなる操作端末器３１ａと、上述の操作装置からなる操作端末器３１ｂとがある。ここにおいて、上述の遠隔監視制御システムにおけるシステム全体の電力が不足した場合、１００Ｖの交流電圧を変圧して２４Ｖの交流電圧を操作端末器３１ｂへ供給するリモコントランス３４ａが操作端末器３１ｂに接続できるようになっている。また、操作端末器３１ｂは、１個の操作部Ｓ１〜Ｓ８で全ての負荷Ｌ１〜Ｌ４のうちの複数個をオンオフさせることができる。
【００４３】
ここにおいて、操作端末器３１の操作部Ｓ１〜Ｓ１０と制御端末器３２に接続されたリモコンリレーＲｙ１〜Ｒｙ４との関係を対応付け、操作端末器３１および制御端末器３２にアドレスが割り振られている。なお、操作端末器３１の操作部Ｓ１〜Ｓ１０と制御端末器３２に接続されたリモコンリレーＲｙ１〜Ｒｙ４との関係を一対一に対応させる以外に、一対多に対応させてもよい。
【００４４】
伝送ユニット３３は、操作端末器３１の操作部Ｓ１〜Ｓ１０と制御端末器３２に接続されたリモコンリレーＲｙ１〜Ｒｙ４との関係を対応付けたデータテーブルである制御テーブルを格納するメモリ部（図示せず）を備えている。また、伝送ユニット３３は、一対の信号線Ｌｓに対して、図９に示すような伝送信号Ｖｓを送出する常時ポーリングを行っている。
【００４５】
伝送信号Ｖｓは、図９に示すように、信号送出開始を示すスタートパルス信号ＳＹ、信号モードを示すモードデータ信号ＭＤ、操作端末器３１および制御端末器３２を各別に呼び出すためのアドレス（操作端末器３１のアドレスおよび制御端末器３２のアドレス）データを伝送するアドレスデータ信号ＡＤ、負荷Ｌ１〜Ｌ４を制御するための制御データを伝送する制御データ信号ＣＤ、伝送エラーを検出するためのチェックサムデータ信号ＣＳ、操作端末器３１および制御端末器３２からの返送信号を受信するタイムスロットである信号返送期間ＷＴを含む、双極性（２４Ｖの交流電圧）のパルス幅変調信号を利用している。なお、操作端末器３１および制御端末器３２は、伝送信号Ｖｓを全波整流することによって、駆動電力を確保している。
【００４６】
以下、上述の遠隔監視制御システムの動作の一例を説明する。
【００４７】
例えば、負荷Ｌ１〜Ｌ４が全てオフ状態であって、人が操作端末器３１ｂの操作部Ｓ２を操作して負荷Ｌ２をオンさせる場合、人が操作端末器３１ｂの操作部Ｓ２を操作したことを示す制御データ信号ＣＤが、伝送信号Ｖｓによって伝送ユニット３３に通知される。伝送ユニット３３は、伝送ユニット３３の上記メモリ部に格納された上記制御テーブルに基づき、操作端末器３１ｂの操作部Ｓ２に対応付けられた制御端末器３２に、リモコンリレーＲｙ２を制御させるための制御データ信号ＣＤを伝送信号Ｖｓによって通知する。制御端末器３２は、伝送ユニット３３から通知された伝送信号Ｖｓに応じて、リモコンリレーＲｙ２に負荷Ｌをオンさせる。
【符号の説明】
【００４８】
１  電源ユニット
１ａ  取付枠
１ｂ  第１のねじ挿通孔
２  表示ユニット
１１  回転軸
１３  器体
１６  係合孔
２１  軸受部
２３  ケース
２６  係合爪
２７  表示パネル
２８  メモリカード用ソケット
２８ａ  カード挿入口
４０  テープ電線
Ｍ  メモリカード
Ｓ１〜Ｓ８  操作部
【図１】
2011205592.tif 000003
【図２】
2011205592.tif 000004
【図３】
2011205592.tif 000005
【図４】
2011205592.tif 000006
【図５】
2011205592.tif 000007
【図６】
2011205592.tif 000008
【図７】
2011205592.tif 000009
【図８】
2011205592.tif 000010
【図９】
2011205592.tif 000011
【図１０】
2011205592.tif 000012
【図１１】
2011205592.tif 000013
【図１２】
2011205592.tif 000014
【図１３】
2011205592.tif 000015
【図１４】
2011205592.tif 000016
【図１５】
2011205592.tif 000017